(57)【要約】【課題】不使用時におけるフック体が邪魔になることを抑制し、かつ、物品を簡単にフック体に掛けることができるようにする。【解決手段】フック構造は、ベース部１と、第一端部２１を中心としてベース部に対して回転可能に取り付けられ、ベース部の収納凹部１１に収納される収納位置と、収納凹部から突出する突出位置との間で回転可能とされたフック体２と、フック体を収納位置に向けて付勢する付勢部３と、突出位置と収納位置との間の途中位置Ｐ３において付勢部の付勢力によるフック体の収納位置への移動を規制すると共に、フック体を収納位置に向けて移動させる付勢部の付勢力よりも大きな外力がフック体に作用した際に、フック体の収納位置への移動を許容する移動規制部４と、を備える。フック体の第二端部２２は、フック体が途中位置に配された状態で、ベース部に対して間隔をあけて位置する。【選択図】図２
2020116221.tif 000002
【特許請求の範囲】
【請求項１】
収納凹部を有するベース部と、
一方向に延びる形状に形成され、延長方向の第一端部を中心として前記ベース部に対して回転可能に取り付けられ、前記収納凹部の底部に沿うように前記収納凹部に収納される収納位置と、前記収納凹部の底部に対して起立するように前記収納凹部から突出する突出位置との間で回転可能とされたフック体と、
前記フック体を前記収納位置に向けて付勢する付勢部と、
前記突出位置と前記収納位置との間の途中位置において前記付勢部の付勢力による前記フック体の前記収納位置への移動を規制すると共に、前記付勢部の付勢力よりも大きく、かつ、前記フック体を前記収納位置に向けて移動させる外力が前記フック体に作用した際に、前記フック体の前記途中位置から前記収納位置への移動を許容するように構成された移動規制部と、を備え、
前記フック体の延長方向の第二端部は、前記フック体が前記途中位置に配された状態で、前記ベース部に対して間隔をあけて位置するフック構造。
【請求項２】
前記移動規制部は、前記フック体の第一端部に対して前記突出位置から前記収納位置に向かう前記フック体の第一回転方向の前側に位置するように前記ベース部から延びると共に、前記ベース部に対して弾性的に撓み変形可能に形成され、
前記フック体が前記突出位置側から前記途中位置に到達することで、前記フック体の第一端部が前記移動規制部に接触し、
前記フック体が前記途中位置からさらに前記第一回転方向に移動して前記フック体の第一端部が前記移動規制部に押し付けられることで、前記移動規制部が弾性的に撓み変形する請求項１に記載のフック構造。
【発明の詳細な説明】
【技術分野】
【０００１】
この発明は、フック構造に関する。
【背景技術】
【０００２】
特許文献１には、壁面に固着される支持部材と、使用時に壁面から起立し、不使用時に壁面側に倒伏して支持部材に収納されるように、基端側において支持部材に枢支されたフック体と、を備えるハンガーフックが開示されている。また、特許文献１のハンガーフックでは、フック体が、常に倒伏位置に復帰するように、ばねによって回転付勢されている。このように構成されるハンガーフックでは、物品をフック体に掛けていない状態において、フック体がばねの付勢力によって自動的に支持部材に収納されることで、フック体が邪魔にならない利点がある。
【先行技術文献】
【特許文献】
【０００３】
【特許文献１】特開２０１２−１０５８４９号公報
【発明の概要】
【発明が解決しようとする課題】
【０００４】
しかしながら、特許文献１のハンガーフックでは、物品をフック体に掛ける際に、一方の手でフック体を摘まんで支持部材から引き出しながら、他方の手で物品をフック体に掛ける必要があるため、物品をフック体に掛ける作業が面倒である。特に、物品が重い場合には、物品を両手で持ち上げた後に、片方の手を物品から離す必要があるため、物品を掛ける作業が特に面倒である。
【０００５】
本発明は、上述した事情に鑑みたものであって、不使用時におけるフック体が邪魔になることを抑制し、かつ、物品を簡単にフック体に掛けることが可能なフック構造を提供することを目的とする。
【課題を解決するための手段】
【０００６】
本発明の一態様は、収納凹部を有するベース部と、一方向に延びる形状に形成され、延長方向の第一端部を中心として前記ベース部に対して回転可能に取り付けられ、前記収納凹部の底部に沿うように前記収納凹部に収納される収納位置と、前記収納凹部の底部に対して起立するように前記収納凹部から突出する突出位置との間で回転可能とされたフック体と、前記フック体を前記収納位置に向けて付勢する付勢部と、前記突出位置と前記収納位置との間の途中位置において前記付勢部による前記フック体の前記収納位置への移動を規制すると共に、前記付勢部の付勢力よりも大きく、かつ、前記フック体を前記収納位置に向けて移動させる外力が前記フック体に作用した際に、前記フック体の前記途中位置から前記収納位置への移動を許容するように構成された移動規制部と、を備え、前記フック体の延長方向の第二端部が、前記フック体が前記途中位置に配された状態で、前記ベース部に対して間隔をあけて位置するフック構造である。
【発明の効果】
【０００７】
本発明によれば、不使用時におけるフック体が邪魔になることを抑制しながら、物品を簡単にフック体に掛けることができる。
【図面の簡単な説明】
【０００８】
【図１】本発明の一実施形態に係るフック構造であって、フック体が収納位置に配された状態を示す断面図である。
【図２】本発明の一実施形態に係るフック構造であって、フック体が途中位置に配された状態を示す断面図である。
【図３】本発明の一実施形態に係るフック構造であって、フック体が突出位置に配された状態を示す断面図である。
【発明を実施するための形態】
【０００９】
以下、図１〜３を参照して本発明の一実施形態について説明する。
図１〜３に示すように、本実施形態に係るフック構造は、ベース部１と、フック体２と、付勢部３と、移動規制部４と、を備える。
【００１０】
ベース部１は、収納凹部１１を有する。収納凹部１１は、後述するフック体２を収納可能に形成されている。
ベース部１は、例えば筐体などの物体Ｅに一体に形成されてもよい。すなわち、ベース部１の収納凹部１１は、物体Ｅの壁面Ｅ１に形成されてもよい。本実施形態のベース部１は、収納凹部１１の底部が筐体などの物体Ｅの壁面Ｅ１に沿うように、物体Ｅの壁面Ｅ１に固定される。物体Ｅの壁面Ｅ１は、少なくとも鉛直方向（図１〜３において上下方向）に延びる面であればよい。壁面Ｅ１は、例えば鉛直方向に対して傾斜してもよいが、本実施形態では鉛直方向に平行する。
【００１１】
具体的に、ベース部１は、底壁部１２と、底壁部１２の幅方向（図１〜３において紙面に直交する方向）の両端から延びる一対の側壁部１３と、を備える。図１〜３においては、一方の側壁部１３のみが図示されている。収納凹部１１は、これら底壁部１２及び一対の側壁部１３に囲まれた空間である。底壁部１２からなる収納凹部１１の底部は、例えばその全体が物体Ｅの壁面Ｅ１に平行してもよいが、図示例では底部の一部が壁面Ｅ１に対して傾斜している。
【００１２】
フック体２は、主に一方向に延びる形状に形成されている。フック体２の形状は、例えば棒状や帯板状であってよい。フック体２は、その延長方向の第一端部２１を中心としてベース部１に対して回転可能に取り付けられる。具体的に、フック体２の第一端部２１は、一対の側壁部１３の下部に取り付けられた軸体５に連結されている。これにより、フック体２は、軸体５を中心としてベース部１に対して回転可能となっている。
【００１３】
フック体２は、図１に示す収納位置Ｐ１と図３に示す突出位置Ｐ２との間で回転可能とされている。
図１に示すように、収納位置Ｐ１は、フック体２が収納凹部１１の底部に沿うように収納凹部１１に収納される位置である。また、収納位置Ｐ１は、ベース部１とフック体２の延長方向の第二端部２２との間に隙間が生じないフック体２の位置でもある。具体的に、フック体２が収納位置Ｐ１に配された状態では、フック体２が概ね物体Ｅの壁面Ｅ１に沿って軸体５から上方に延びるように配される。また、フック体２が収納位置Ｐ１に配された状態では、フック体２の大部分が収納凹部１１に収納され、フック体２の一部（フック体２の第二端部２２側の部分）だけが収納凹部１１の外側に位置する。
【００１４】
図３に示すように、突出位置Ｐ２は、フック体２が収納凹部１１の底部に対して起立するように収納凹部１１から突出する位置である。具体的に、フック体２が突出位置Ｐ２に配された状態では、フック体２の延長方向が物体Ｅの壁面Ｅ１に対して直交するように、フック体２がベース部１及び物体Ｅの壁面Ｅ１から離れる方向に延びる。より具体的に、フック体２は、ベース部１及び物体Ｅの壁面Ｅ１から水平に延びる。
以下の説明では、突出位置Ｐ２から収納位置Ｐ１に向かうフック体２の回転方向を第一回転方向Ｄ１と呼び、収納位置Ｐ１から突出位置Ｐ２に向かうフック体２の回転方向を第二回転方向Ｄ２と呼ぶ。
【００１５】
ベース部１には、フック体２が突出位置Ｐ２からさらに第二回転方向Ｄ２に回転することを防ぐストッパ部１４が設けられている。ストッパ部１４は、フック体２の第一端部２１に対してフック体２の第二回転方向Ｄ２の前側に設けられる。具体的に、ストッパ部１４は、ベース部１の下部であって、フック体２が突出位置Ｐ２に配された状態で、フック体２の第一端部２１のうち軸体５に対して第二端部２２と反対側に延びる延長部２３に接触する位置に設けられる。本実施形態のストッパ部１４は、ベース部１の底壁部１２によって構成されている。
【００１６】
付勢部３は、フック体２を収納位置Ｐ１に向けて付勢する。図１〜３に示すように、本実施形態の付勢部３は、軸体５を支持軸としたねじりばねである。ねじりばねの一端はフック体２に係止され、他端はベース部１に係止されている。なお、付勢部３は、ねじりばねに限らず、例えば板ばねなど任意であってよい。
【００１７】
図２に示すように、移動規制部４は、突出位置Ｐ２と収納位置Ｐ１との間の途中位置Ｐ３において付勢部３の付勢力によるフック体２の収納位置Ｐ１への移動を規制する。これにより、フック体２は付勢部３の付勢力に抗って途中位置Ｐ３に保持される。
【００１８】
フック体２が途中位置Ｐ３に配された状態では、フック体２の第二端部２２がベース部１に対して間隔をあけて位置する。具体的に、途中位置Ｐ３に配されたフック体２は、鉛直方向において軸体５から上方に向かうにしたがって、水平方向においてベース部１（特に底壁部１２）や物体Ｅの壁面Ｅ１から離れる方向に傾斜するように延びる。これにより、ベース部１とフック体２の第二端部２２との隙間Ｇ１が上方に開く。
また、移動規制部４は、付勢部３の付勢力よりも大きく、かつ、フック体２を収納位置Ｐ１に向けて移動させる外力がフック体２に作用した際に、フック体２の途中位置Ｐ３から収納位置Ｐ１への移動を許容するように構成されている。
【００１９】
本実施形態の移動規制部４は、フック体２の第一端部２１に対してフック体２の第一回転方向Ｄ１の前側に位置するようにベース部１から延びている。また、移動規制部４は、ベース部１に対して弾性的に撓み変形可能に形成されている。
【００２０】
具体的に、移動規制部４は、弾性的に撓み変形可能な板状に形成されている。移動規制部４は、その板厚方向が上下方向に向くように、軸体５の下側に間隔をあけた位置に配されている。この状態において、移動規制部４は、物体Ｅの壁面Ｅ１から離れる方向に水平に延びている。このように配された移動規制部４は、物体Ｅの壁面Ｅ１側に位置する移動規制部４の基端を支点として上下方向に撓み変形可能となっている。
移動規制部４は、図示例のようにベース部１の収納凹部１１内に位置してもよいし、例えば収納凹部１１の外側（例えば収納凹部１１よりも下側）に位置してもよい。
【００２１】
移動規制部４は、例えばベース部１の底壁部１２に一体に形成されてよい。本実施形態の移動規制部４は、ベース部１と物体Ｅの壁面Ｅ１との間に挟まれる固定用板部６に一体に形成されている。移動規制部４及び固定用板部６は、一つの板材に折り曲げ加工を施すことで形成することができる。移動規制部４は、固定用板部６がベース部１と物体Ｅの壁面Ｅ１との間に挟まれることで、ベース部１及び物体Ｅの壁面Ｅ１に対して固定することができる。
【００２２】
以上のように構成される本実施形態のフック構造では、図２，３に示すように、付勢部３の付勢力によって、フック体２が突出位置Ｐ２側から第一回転方向Ｄ１に移動して途中位置Ｐ３に到達することで、フック体２の第一端部２１が移動規制部４に接触する。具体的には、付勢部３の付勢力によるフック体２の第一回転方向Ｄ１への移動に伴って、フック体２の第一端部２１の延長部２３が軸体５よりも下方に移動することで、延長部２３が移動規制部４に接触する。ここで、移動規制部４を撓み変形させるための力は、付勢部３の付勢力によってフック体２の第一端部２１を移動規制部４に押し付ける力よりも十分に大きい。これにより、フック体２を途中位置Ｐ３に保持することができる。
【００２３】
また、本実施形態のフック構造では、移動規制部４を弾性的に撓み変形させることで、図１，２に示すようにフック体２を途中位置Ｐ３から収納位置Ｐ１まで移動させることもできる。以下、この点について説明する。
フック体２を途中位置Ｐ３から収納位置Ｐ１まで移動させる際には、途中位置Ｐ３に保持されたフック体２を、手指などによって第一回転方向Ｄ１に押せばよい。すなわち、フック体２を第一回転方向Ｄ１に移動させる力として、付勢部３の付勢力とは別の外力をフック体２にさらに作用させればよい。
【００２４】
これにより、フック体２が途中位置Ｐ３からさらに第一回転方向Ｄ１に移動してフック体２の第一端部２１が移動規制部４に押し付けられ、移動規制部４が弾性的に撓み変形する。具体的には、フック体２の第一端部２１の延長部２３が移動規制部４を下方に押し付けることで、移動規制部４が下方に撓み変形する。図１，２における矢印Ｄ３は、移動規制部４が撓み変形する方向を示している。移動規制部４が弾性的に撓み変形することで、フック体２の途中位置Ｐ３から収納位置Ｐ１への移動が許容される。
【００２５】
以上説明したように、本実施形態のフック構造によれば、移動規制部４によってフック体２を途中位置Ｐ３に保持することができる。これにより、図２，３に示すように、物品Ｉをフック体２に掛ける際には、物品Ｉをベース部１と途中位置Ｐ３に配されたフック体２の第二端部２２とベース部１との隙間Ｇ１に差し込むだけで、物品Ｉを簡単にフック体２に掛けることができる。特に、本実施形態では、フック体２が途中位置Ｐ３に配された状態において、ベース部１とフック体２の第二端部２２との隙間Ｇ１が上方に開いているため、物品Ｉの自重を利用して物品Ｉを簡単に上記隙間Ｇ１に差し込むことができる。したがって、フック体２に掛ける物品Ｉが急速充電装置の充電ケーブルのように重くても、物品Ｉを簡単にフック体２に掛けることができる。
【００２６】
また、フック体２が途中位置Ｐ３（図２）に配された状態では、フック体２を突出位置Ｐ２（図３）に配した状態と比較して、ベース部１や物体Ｅの壁面Ｅ１から突出するフック体２の突出長さ（図２，３において左右方向における長さ）が小さい。このため、不使用時におけるフック体２が邪魔になることを抑制できる。例えば、フック体２がこれの傍を通る人に干渉することを抑制できる。
さらに、本実施形態のフック構造では、途中位置Ｐ３に配されたフック体２を収納位置Ｐ１（図１）まで移動させることもできる。フック体２を収納位置Ｐ１に配することで、不使用時におけるフック体２が邪魔になることをさらに抑制できる。
【００２７】
また、本実施形態のフック構造によれば、移動規制部４が弾性的に撓み変形可能に形成されていることで、フック体２の途中位置Ｐ３から収納位置Ｐ１への移動を許容することができる。
【００２８】
以上、本発明の詳細について説明したが、本発明は上述した実施形態に限定されるものではなく、本発明の主旨を逸脱しない範囲において種々の変更を加えることができる。
【符号の説明】
【００２９】
１  ベース部
２  フック体
３  付勢部
４  移動規制部
５  軸体
６  固定用板部
１１  収納凹部
１２  底壁部
１３  側壁部
１４  ストッパ部
２１  第一端部
２２  第二端部
２３  延長部
Ｄ１  第一回転方向
Ｄ２  第二回転方向
Ｅ  物体
Ｅ１  壁面
Ｇ１  隙間
Ｉ  物品
Ｐ１  収納位置
Ｐ２  突出位置
Ｐ３  途中位置
【図１】
2020116221.tif 000003
【図２】
2020116221.tif 000004
【図３】
2020116221.tif 000005